(57)【要約】【課題】誤り訂正機能の設定に起因して通信異常が発生した場合に、適切な処置を取りやすい通信装置及びプログラムを提供する。【解決手段】この通信装置は、相手装置又は自装置の誤り訂正機能の設定がオフである場合に誤り訂正機能を無効にする能力調整部（プロトコル制御部３２）と、能力調整部が誤り訂正機能を無効とする場合に、相手装置、自装置又はこれら両方の誤り訂正機能の設定がオフであることを示す設定情報を、装置外へ通知する通知処理部（３５）とを備える。また、プログラムは、通信装置のコンピューター（２１〜２４）を、能力調整部及び通知処理部として機能させる。【選択図】図２
2019208149.tif 000002
【特許請求の範囲】
【請求項１】
相手装置又は自装置の誤り訂正機能の設定がオフである場合に誤り訂正機能を無効にする能力調整部と、
前記能力調整部が前記誤り訂正機能を無効とする場合に、相手装置、自装置又はこれら両方の誤り訂正機能の設定がオフであることを示す設定情報を、装置外へ通知する通知処理部と、
を備える通信装置。
【請求項２】
前記通知処理部が、送信又は受信される画像に前記設定情報の画像を合成する請求項１記載の通信装置。
【請求項３】
操作画面を出力する表示部を備え、
前記通知処理部が、前記表示部から前記設定情報を出力する請求項１又は請求項２に記載の通信装置。
【請求項４】
前記通知処理部が、相手装置から画像を受信する場合に、受信される画像の枠外に前記設定情報の画像を合成、あるいは、受信される画像の枠内に前記設定情報の画像を合成する請求項２又は請求項２を引用する請求項３に記載の通信装置。
【請求項５】
前記通知処理部が、前記設定情報の画像を別の情報画像と共に合成する場合に、共に合成しない場合よりも小さなフォントを用いて合成する請求項２、請求項２を引用する請求項３、又は請求項４に記載の通信装置。
【請求項６】
前記通知処理部が、前記設定情報の画像を合成するか否かを選択可能な選択画面を表示部に出力し、前記選択画面の選択結果に応じて前記設定情報の画像を合成するか否かを決定する請求項２、請求項２を引用する請求項３、請求項４、又は請求項５に記載の通信装置。
【請求項７】
前記通知処理部が、同一の相手装置との過去の通信において前記選択画面を用いた選択が行われている場合に、前記選択画面の出力を行わずに、過去の選択結果を採用する請求項６記載の通信装置。
【請求項８】
前記通知処理部が、相手装置から画像を受信し、かつ、受信される画像のデータに誤りがない場合、前記設定情報の通知を行わない請求項１から請求項７のいずれか一項に記載の通信装置。
【請求項９】
前記通知処理部が、相手装置が前記設定情報の通知機能を有し、かつ、相手装置から画像を受信する場合に、前記設定情報の通知を行わない請求項１から請求項８のいずれか一項に記載の通信装置。
【請求項１０】
ファクシミリ装置である請求項１から請求項９のいずれか一項に記載の通信装置。
【請求項１１】
前記能力調整部が、使用する機能を決定するための能力情報を相手装置と交換し、能力情報に基づき誤り訂正機能の有効又は無効を決定する請求項１から請求項１０のいずれか一項に記載の通信装置。
【請求項１２】
前記誤り訂正機能が、通信データに誤りが検出された場合に、再送要求に基づく再送を実施させる機能である請求項１から請求項１１のいずれか一項に記載の通信装置。
【請求項１３】
通信装置のコンピューターを、
相手装置又は自装置の誤り訂正機能の設定がオフである場合に誤り訂正機能を無効に切り替える能力調整部、及び、
前記能力調整部が前記誤り訂正機能を無効とする場合に、相手装置、自装置又はこれら両方の誤り訂正機能の設定がオフであることを示す設定情報を、装置外へ通知する通知処理部、
として機能させるプログラム。
【発明の詳細な説明】
【技術分野】
【０００１】
本発明は、通信装置及びプログラムに関する。
【背景技術】
【０００２】
通信装置として、電話回線を介して画像を伝送するファクシミリ装置がある。一般に、ファクシミリ装置は、誤り訂正機能を備え、受信されたデータに誤りが検出された場合に、再送要求とそれに基づくデータの再送が行われ、データの誤りを訂正できる。
【０００３】
大きいフォントを用いた文書の画像、圧縮率の低い画像など、伝送されるデータによっては、少量の誤りが許容される場合がある。一方、誤り訂正機能が有効であると、通信データに、誤りを検出するための検査符号と、再送処理に必要な信号とが付加され、かつ、データの再送が生じえるため、通信時間及び通信コストが増加する。
【０００４】
このため、一般的なファクシミリ装置は、誤り訂正機能がオン又はオフに切り替え可能に構成され、例えば、良好な通信品質が維持される場合には、誤り訂正機能がオフに設定されることがある。また、或る相手との通信でエラーが多発するような場合には、応急的に通信を完了させるため、誤り訂正機能がオフに設定されることがある。
【０００５】
特許文献１には、誤り訂正機能を備えるファクシミリ装置において、通信相手ごとに通信データの誤りの発生状況を管理し、誤りの発生状況に応じて通信相手ごとに誤り訂正機能をオン又はオフに切り替える発明が開示されている。
【先行技術文献】
【特許文献】
【０００６】
【特許文献１】特開平０２−３１１０８１号公報
【発明の概要】
【発明が解決しようとする課題】
【０００７】
ファクシミリ装置は、相手装置と自装置のうち、一方の誤り訂正機能のみがオフに設定されても正常に通信できるよう、通信で使用する機能を互いに調整する能力調整部を備える。能力調整部は、例えば通信開始時に、使用可能な機能あるいは使用を決定した機能を示す能力情報（ＤＩＳ：Digital Identification SignalとＤＣＳ：Digital Command Signal）を相手装置と交換し、これに基づいて通信に使用する機能が確定される。
【０００８】
近年、ＩＰ（Internet Protocol）電話網を利用したファクシミリ通信が多く利用され、これに伴い一部の通信回線でファクシミリ通信の品質が低下することがある。このような状況で、誤り訂正機能がオフに設定されたファクシミリ装置と、オンに設定されたファクシミリ装置とが混在していると、誤り訂正機能が無効でかつ品質の低い回線を用いたファックス通信が行われる場合がある。この場合、通信データの誤りによって、受信された画像に多くの欠損が生じる。
【０００９】
従来のファクシミリ装置では、このような状況で画像欠損が生じた場合でも、ユーザーがその原因を解明することは容易でなかった。また、ユーザーがファクシミリ装置の保守員に連絡しても、保守員は、画像を受信したファクシミリ装置に原因があるのか、送信元のファクシミリ装置に原因があるのか、すぐには判断できない。このため、保守員が適切な対処法を提案しにくいという課題があった。特許文献１の技術においても、誤り訂正機能が無効となって画像欠損が生じた場合に、同様の課題が生じる。
【００１０】
これらの課題は、ファクシミリ装置に制限されず、能力調整部が相手装置と自装置の設定に応じて誤り訂正機能の有効又は無効を決定する通信装置において同様に発生する。
【００１１】
本発明は、誤り訂正機能の設定に起因して通信異常が発生した場合に、ユーザー又は保守者等が適切な処置を取りやすい通信装置及びプログラムを提供することを目的とする。
【課題を解決するための手段】
【００１２】
請求項１記載の発明は、
相手装置又は自装置の誤り訂正機能の設定がオフである場合に誤り訂正機能を無効にする能力調整部と、
前記能力調整部が前記誤り訂正機能を無効とする場合に、相手装置、自装置又はこれら両方の誤り訂正機能の設定がオフであることを示す設定情報を、装置外へ通知する通知処理部と、
を備える通信装置である。
【００１３】
請求項２に記載の発明は、
前記通知処理部が、送信又は受信される画像に前記設定情報の画像を合成する請求項１記載の通信装置である。
【００１４】
請求項３に記載の発明は、
操作画面を出力する表示部を備え、
前記通知処理部が、前記表示部から前記設定情報を出力する請求項１又は請求項２に記載の通信装置である。
【００１５】
請求項４に記載の発明は、
前記通知処理部が、相手装置から画像を受信する場合に、受信される画像の枠外に前記設定情報の画像を合成、あるいは、受信される画像の枠内に前記設定情報の画像を合成する請求項２又は請求項２を引用する請求項３に記載の通信装置である。
【００１６】
請求項５に記載の発明は、
前記通知処理部が、前記設定情報の画像を別の情報画像と共に合成する場合に、共に合成しない場合よりも小さなフォントを用いて合成する請求項２、請求項２を引用する請求項３、又は請求項４に記載の通信装置である。
【００１７】
請求項６に記載の発明は、
前記通知処理部が、前記設定情報の画像を合成するか否かを選択可能な選択画面を表示部に出力し、前記選択画面の選択結果に応じて前記設定情報の画像を合成するか否かを決定する請求項２、請求項２を引用する請求項３、請求項４、又は請求項５に記載の通信装置である。
【００１８】
請求項７に記載の発明は、
前記通知処理部が、同一の相手装置との過去の通信において前記選択画面を用いた選択が行われている場合に、前記選択画面の出力を行わずに、過去の選択結果を採用する請求項６記載の通信装置である。
【００１９】
請求項８に記載の発明は、
前記通知処理部が、相手装置から画像を受信し、かつ、受信される画像のデータに誤りがない場合、前記設定情報の通知を行わない請求項１から請求項７のいずれか一項に記載の通信装置である。
【００２０】
請求項９に記載の発明は、
前記通知処理部が、相手装置が前記設定情報の通知機能を有し、かつ、相手装置から画像を受信する場合に、前記設定情報の通知を行わない請求項１から請求項８のいずれか一項に記載の通信装置である。
【００２１】
請求項１０に記載の発明は、
ファクシミリ装置である請求項１から請求項９のいずれか一項に記載の通信装置である。
【００２２】
請求項１１に記載の発明は、
前記能力調整部が、使用する機能を決定するための能力情報を相手装置と交換し、能力情報に基づき誤り訂正機能の有効又は無効を決定する請求項１から請求項１０のいずれか一項に記載の通信装置である。
【００２３】
請求項１２に記載の発明は、
前記誤り訂正機能が、通信データに誤りが検出された場合に、再送要求に基づく再送を実施させる機能である請求項１から請求項１１のいずれか一項に記載の通信装置である。
【００２４】
請求項１３記載の発明は、
通信装置のコンピューターを、
相手装置又は自装置の誤り訂正機能の設定がオフである場合に誤り訂正機能を無効に切り替える能力調整部、及び、
前記能力調整部が前記誤り訂正機能を無効とする場合に、相手装置、自装置又はこれら両方の誤り訂正機能の設定がオフであることを示す設定情報を、装置外へ通知する通知処理部、
として機能させるプログラムである。
【発明の効果】
【００２５】
本発明に従うと、誤り訂正機能の設定に起因して通信異常が発生した場合に、ユーザー又は保守者等が適切な処理を取りやすい通信装置及びプログラムを提供できる。
【図面の簡単な説明】
【００２６】
【図１】本発明の実施形態に係るファクシミリ装置を示すブロック図である。
【図２】図１のＣＰＵが制御プログラムを実行して実現される機能構成を示す機能ブロック図である。
【図３】送信時に図２の機能モジュールが実行する送信時処理の手順を示すフローチャートである。
【図４】送信時処理で合成される画像の第１例（Ａ）及び第２例（Ｂ）を示す図である。
【図５】受信時に図２の機能モジュールが実行する受信時処理の手順を示すフローチャートである。
【図６】受信時に図２の機能モジュールが実行する受信時処理の変形例を示すフローチャートである。
【図７】図５及び図６のステップ２６の確認画面処理及び操作入力処理の詳細な手順を示すフローチャートである。
【図８】表示部に出力される確認画面の一例を示す図である。
【図９】受信時処理で合成される画像の第１例（Ａ）及び第２例（Ｂ）を示す図である。
【図１０】受信時処理で合成される画像の第３例（Ａ）及び第４例（Ｂ）を示す図である。
【発明を実施するための形態】
【００２７】
以下、本発明の実施形態について図面を参照して詳細に説明する。
【００２８】
図１は、本発明の実施形態に係るファクシミリ装置を示すブロック図である。図２は、図１のＣＰＵが制御プログラムを実行して実現される機能構成を示す機能ブロック図である。
【００２９】
本明細書においては、実施形態のファクシミリ装置１を「自装置」、通信相手のファクシミリ装置を「相手装置」とも呼ぶ。相手装置は、実施形態のファクシミリ装置１と同様の構成である場合もあれば、従来の構成である場合もある。また、画像を送るファクシミリ装置を「送信機」、画像を受けるファクシミリ装置を「受信機」とも呼ぶ。
【００３０】
本実施形態のファクシミリ装置１は、ネットワークＩ／Ｆ（Interface）部１１、入出力バッファー１２、記憶装置１３、スキャナ部１４、プリンタ部１５、表示部１６及び操作部１７を備える。さらに、ファクシミリ装置１は、制御部として、ＣＰＵ（Central Processing Unit）２１、ＲＡＭ（Random Access Memory）２２、ＲＯＭ（Read Only Memory）２３及び不揮発性メモリー２４を備える。
【００３１】
ネットワークＩ／Ｆ部１１は、モデムを含み、ファクシミリ通信の相手装置に電話網を介して通信可能に接続できる。さらに、ネットワークＩ／Ｆ部１１は、ＮＩＣ（Network Interface Card）を含み、通信ネットワークを介してファクシミリ装置１を外部サーバ又はクライアント端末と通信可能な構成としてもよい。
【００３２】
入出力バッファー１２は、通信データ、送信用の画像データ又は受信した画像データを緩衝用に一時的に蓄積する。
【００３３】
記憶装置１３は、ハードディスク等であり、送信用に読み取った画像データ又は受信した印刷前の画像データなど、大きいサイズのデータを一時的に蓄積する。また、記憶装置１３には、短縮ダイヤル機能に用いられる短縮ダイヤルデータベースと、ファクシミリ装置１の各種の設定情報を記憶する設定情報記憶部１３ａと、ジョブの履歴が記憶されるジョブ履歴記憶部１３ｂとが設けられる。ジョブとは、ユーザーにより指定された宛先へのファックス送信、ファックス受信、並びに、ユーザーの操作により要求された複写処理及びスキャナ処理など、ファクシミリ装置１の１単位の処理を意味する。
【００３４】
短縮ダイヤル機能は、ユーザーが短縮ダイヤルを入力することで、通信相手と通信接続できる機能である。短縮ダイヤルデータベースには、個々の通信相手ごとに、名称及びＦＡＸ番号などの通信相手の情報と、通信設定の内容とが登録される。登録できる通信設定には、誤り訂正機能（以下「ＥＣＭ（Error Correction Mode）」と呼ぶ）のオン又はオフの設定が含まれる。短縮ダイヤルを用いた場合、短縮ダイヤルデータベースに登録された通信設定は、装置全体の設定よりも優先される。
【００３５】
設定情報記憶部１３ａには、装置全体のＥＣＭのオン又はオフの設定情報、確認画面表示に関する設定情報、受信情報印字に関する設定情報、その他、様々な設定情報が記憶される。確認画面表示に関する設定情報は、図５のステップＳ２５で受信時の確認画面を表示するか否かを決める設定情報である。受信情報印字に関する設定情報は、図５のステップＳ２８、Ｓ３０で受信情報（ＲＴＩ：Remote Terminal Identification）の印字を行うか否かを決める設定情報である。
【００３６】
スキャナ部１４は、送信用の文書を光学的に読み取って画像データに変換する。スキャナ部１４は、加えて、複写の用途あるいは文書のデータ化の用途で用いられてもよい。
【００３７】
プリンタ部１５は、受信した画像を印刷する。プリンタ部１５は、更に、ネットワーク経由で送られた文書の印刷、並びに、複写用に読み取られた画像の印刷に用いられてもよい。
【００３８】
表示部１６は、例えば液晶パネルなど、ドット表示により、文字、図柄等を出力可能なデバイスである。表示部１６は、設定画面、操作画面、確認画面等を出力する。
【００３９】
操作部１７は、ユーザーが操作可能な複数の操作キーを有する。操作部１７は、表示部１６の表示画面上に配置されたタッチパネルを有してもよい。
【００４０】
ＣＰＵ２１、ＲＡＭ２２、ＲＯＭ２３及び不揮発性メモリー２４は、ファクシミリ装置１を制御するコンピューター（マイクロコンピューター）である。コンピューターは、ネットワークＩ／Ｆ部１１、入出力バッファー１２、記憶装置１３、スキャナ部１４、プリンタ部１５、表示部１６及び操作部１７と、データ及びコマンドを取り交わし、これらを制御する。ＲＯＭ２３には、プログラム２３ａが格納され、ＣＰＵ２１がプログラム２３ａを実行することで、図２の各機能モジュールが実現される。不揮発性メモリー２４には、後述する履歴情報を記憶する履歴情報記憶部２４ａが設けられる。
【００４１】
図２に示すように、コンピューターにより実現される機能モジュールには、ジョブ制御部３１、プロトコル制御部３２、画像処理部３３、表示処理部３４及び通知処理部３５が含まれる。プロトコル制御部３２は、本発明に係る能力調整部の一例に相当する。
【００４２】
ジョブ制御部３１は、ユーザーの操作又は装置外部からの要求に基づきジョブを記憶部に登録し、登録されたジョブの実行を制御する。例えば、ユーザーが、スキャナ部１４で文書を読み込ませ、かつ、ファックス送信の要求を入力したとする。すると、ジョブ制御部３１は、スキャナ部１４から記憶装置１３に蓄積された画像データを、指定の通信相手に、指定の設定で、ファクシミリ通信で送信するというジョブを記憶部に登録する。そして、ジョブ制御部３１は、登録された１つのジョブ又は複数のジョブの各々を、実行可能なタイミングで実行していく。
【００４３】
プロトコル制御部３２は、所定のプロトコル（例えば、ＩＴＵ−ＴのＧ３規格のプロトコル）に従って通信手順を制御し、ファクシミリ通信を実行する。この通信手順には、ＥＣＭ（誤り訂正機能）の通信手順が含まれる。ＥＣＭは有効と無効とが切り替え可能である。ＥＣＭが有効の場合、送信機のプロトコル制御部３２は、送信データのフレームごとに検査符号を付加する。そして、受信機のプロトコル制御部３２は、検査符号を用いて受信データの各フレームに誤りが有るか検査し、誤りが検出された場合に、誤りのあるフレームの再送要求を送信機へ送る。そして、送信機のプロトコル制御部３２は再送要求に応じてデータを再送する。
【００４４】
さらに、プロトコル制御部３２が実行する通信手順には、通信の開始時に、相手装置と自装置との間で能力情報を交換し、能力情報に応じてファクシミリ通信で使用する機能を決定する通信手順が含まれる。能力情報には、先ず、受信機から送信機に送られるＤＩＳと、次に、送信機から受信機へ送られるＤＣＳとが含まれる。ＤＩＳは受信機が使用できる機能を示す。ＤＣＳはファクシミリ通信で使用することが確定された機能を示す。送信機は、ＤＩＳに示された受信機の設定と、送信機の設定とが、共にオンである機能について、ファクシミリ通信で使用する機能として決定し、ＤＣＳに反映させる。能力情報には、ＥＣＭ（誤り検出機能）の情報も含まれ、これによりファクシミリ通信でＥＣＭが有効となるか無効となるかが決定される。
【００４５】
能力情報を交換する通信手順に従えば、送信機のプロトコル制御部３２は、ＤＩＳに基づき受信機のＥＣＭがオンに設定されているのかオフに設定されているのか識別できる。受信機のプロトコル制御部３２は、受信機のＥＣＭがオンに設定されていれば、ＤＣＳに基づき送信機のＥＣＭがオンに設定されているのかオフに設定されているのか識別できる。一方、受信機のプロトコル制御部３２は、受信機のＥＣＭがオフに設定されていれば、送信機のＥＣＭがオンに設定されているのかオフに設定されているのか識別できない。
【００４６】
プロトコル制御部３２は、さらに、能力情報の交換の通信手順を利用して、ファックス通信を一時的に待機状態にすることができる。待機状態にするには、例えば、送信機のプロトコル制御部３２は、受信機からＤＩＳを受けた後、ＤＣＳの送信を遅延させる。すると、受信機のプロトコル制御部３２は、ＤＣＳが送られてくるまで、ＤＩＳの再送を所定間隔で繰り返す。これにより、受信機か画像を受信する態勢に移行しないよう、受信機を待機させることができる。
【００４７】
プロトコル制御部３２は、さらに、画像の受信時にＥＣＭが無効の場合でも、画像にエラーラインが含まれるか否かを判別する機能を有する。ＥＣＭが無効の場合、ＭＨ（Modified Huffman）方式又はＭＲ（Modified Read）方式で圧縮された画像データが伝送され、受信機のプロトコル制御部３２は画像データを伸長する。データ誤りがあると伸長処理でエラーが生じる。これを利用して、プロトコル制御部３２は、伸長処理のエラーの有無に基づいて、受信した画像にエラーラインが含まれるか否かを判別できる。
【００４８】
画像処理部３３は、ファクシミリ通信で伝送される画像に、ＴＴＩ（Transmit Terminal Identification）領域の画像、又は、ＲＴＩ領域の画像を合成する処理を行う。ＴＴＩ領域とＲＴＩ領域は、１ページの文書のヘッダー領域とフッター領域にそれぞれ相当する。
【００４９】
表示処理部３４は表示部１６の出力を制御する。
【００５０】
通知処理部３５は、プロトコル制御部３２がＥＣＭを無効とした場合に、相手装置、自装置又はこれら両方のＥＣＭの設定がオフであることを示すＥＣＭ設定情報を、装置外へ通知する処理を行う。装置外への通知とは、情報を、相手装置のユーザー、相手装置の保守員、自装置のユーザー、自装置の保守員、又は、カスタマーエンジニアなどの保守員が、知り得る状態に置くことを意味する。装置外への通知には、表示部１６へ情報を出力する態様と、ファクシミリ通信で伝送されかつ受信機で印刷される画像へ情報の画像を合成する態様とが含まれる。装置外への通知には、通知内容をジョブに対応づけてジョブ履歴記憶部１３ｂに記憶させる態様が含まれてもよい。この記憶により、ユーザー又は保守員は、表示部１６又は通信ネットワークを介して通知内容を読み取ることが可能となる。ＥＣＭ設定情報は、本発明に係る設定情報の一例に相当する。
【００５１】
＜送信時処理＞
図３は、送信時に図２の機能モジュールが実行する送信時処理の手順を示すフローチャートである。
【００５２】
送信時処理は、ジョブ制御部３１がファクシミリ画像送信のジョブを開始し、ファクシミリ装置１と受信機との通信接続が確立されたときに開始される。送信時処理が開始されると、先ず、プロトコル制御部３２は、ジョブ制御部３１からジョブの送信設定（送信機で使用可能な機能の設定）を取得する（ステップＳ１）。送信設定には、送信機のＥＣＭの設定（送信機の全体の設定あるいは通信相手ごとの個別の設定）が含まれる。
【００５３】
次に、プロトコル制御部３２は、受信機から送られた能力情報（ＤＩＳ）を取得する（ステップＳ２）。能力情報には、受信機のＥＣＭがオンに設定されているかオフに設定されているか示されている。
【００５４】
プロトコル制御部３２が能力情報を取得したら、続いて、通知処理部３５は、分岐処理（ステップＳ３〜Ｓ５）を行い、ＥＣＭの４パターンの設定に応じて、処理を分岐させる。
【００５５】
その結果、ＥＣＭの設定が、受信機がオン、送信機がオフで、処理がステップＳ６に進むと、通知処理部３５は、表示処理部３４を介して表示部１６にＥＣＭの設定確認画面を表示させる（ステップＳ６）。設定確認画面は、例えば「ＥＣＭ＝ＯＦＦのまま送信を継続しますか？受信機側で読めない部分が生じる可能性があります」など、送信機（自装置）のＥＣＭの設定がオフであることを示すＥＣＭ設定情報を含む。このＥＣＭ設定情報には、受信機のＥＣＭ設定がオンであることを示す情報が含まれていてもよい。さらに、設定確認画面は、ユーザーがＥＣＭの設定をオンに切り替え可能な操作表示を含む。
【００５６】
設定確認画面を表示したら、通知処理部３５は、操作部１７を介してユーザー操作がなされたか、あるいは、所定時間が経過してタイムアウトとなったか判別し（ステップＳ７）、ＮＯであればこの判別を繰り返し、ＹＥＳであれば、次に処理を進める。ステップＳ７で比較的に長い時間が経過しても、送信機から受信機へＤＣＳか送信されないことで、受信機を画像受信の態勢に移行させずに待機させることができる。ユーザー操作又はタイムアップにより、次に処理が進むと、通知処理部３５は、設定確認画面でＥＣＭをオンに変更する操作がなされたか判別する（ステップＳ８）。
【００５７】
なお、同じ通信相手への以前の送信時処理で、設定確認画面を用いた操作がなされている場合には、通知処理部３５は、以前の操作結果を採用して、ステップＳ６、Ｓ７の処理を省略してもよい。このような制御は、通知処理部３５が、設定確認画面の操作結果を、通信相手の識別情報に対応させて、履歴情報記憶部２４ａに格納しておくことで実現できる。そして、通知処理部３５が、ステップＳ６の前に、履歴情報記憶部２４ａに以前の設定確認画面の操作結果が記憶されているか確認し、記憶されていれば、その操作結果を採用し、設定確認画面の出力を省略すればよい。
【００５８】
ステップＳ８の判別の結果、ＹＥＳであれば、ジョブ制御部３１が現在のジョブに設定されているＥＣＭの設定をオンに変更する（ステップＳ９）。一方、ステップＳ８の判別の結果、ＮＯであれば、通知処理部３５の要求に基づき、画像処理部３３が送信用の画像のＴＴＩ領域にメッセージ１の画像を合成する（ステップＳ１０）。
【００５９】
メッセージ１は、送信機（自装置）のＥＣＭの設定がオフであることを示すＥＣＭ設定情報と、受信不良を改善する対処法の情報とを含む。メッセージ１は、「この通信は、送信機側設定により、ＥＣＭ機能がＯＦＦに設定されて通信しました。受信不良の場合は送信機の設定を変更してください」等である。メッセージ１は、受信された画像が印刷されることで、受信機（相手装置）のユーザーへ通知される。
【００６０】
ステップＳ３〜Ｓ５の分岐処理において、ＥＣＭの設定が、受信機がオフ、送信機がオンであると、通知処理部３５の要求に基づき、画像処理部３３が送信用の画像のＴＴＩ領域にメッセージ２の画像を合成する（ステップＳ１１）。
【００６１】
メッセージ２は、受信機（相手装置）のＥＣＭの設定がオフであることを示すＥＣＭ設定情報と、受信不良を改善する対処法の情報とを含む。メッセージ２は、「この通信は、受信機側設定により、ＥＣＭ機能がＯＦＦに設定されて通信しました。受信不良の場合は受信機の設定を変更してださい」等である。メッセージ２は、受信された画像が印刷されることで、受信機（相手装置）のユーザーへ通知される。
【００６２】
ステップＳ３〜Ｓ５の分岐処理において、ＥＣＭの設定が、受信機がオフ、送信機がオフであると、通知処理部３５の要求に基づき、画像処理部３３が送信用の画像のＴＴＩ領域にメッセージ３の画像を合成する（ステップＳ１２）。
【００６３】
メッセージ３は、受信機及び送信機のＥＣＭの設定がオフであることを示すＥＣＭ設定情報と、受信不良を改善する対処法の情報とを含む。メッセージ３は、「この通信は、送信・受信双方の設定により、ＥＣＭ機能がＯＦＦに設定されて通信しました。受信不良の場合は、双方の設定を変更してください」等である。メッセージ３は、受信された画像が印刷されることで、受信機（相手装置）のユーザーへ通知される。
【００６４】
通知処理部３５がメッセージ１〜３のいずれか画像を合成すると、ステップＳ１３へ処理が進む。また、ステップＳ３〜Ｓ５の分岐処理において、ＥＣＭの設定が、受信機がオン、送信機がオンである場合には、そのまま、ステップＳ１３へ処理が進む。
【００６５】
処理が進むと、プロトコル制御部３２は、確定した能力情報（ＤＣＳ）を受信機へ送信する（ステップＳ１３）。ステップＳ８、Ｓ９で、ＥＣＭの設定が変更されている場合には、変更後の設定が反映された能力情報（ＤＣＳ）が送信される。能力情報（ＤＣＳ）が受信機に送られると、受信機及び送信機の双方で通信に使用する機能が確定され、両者間で画像の伝送が可能となる。その後、プロトコル制御部３２は、画像送信処理へ処理を移行する。
【００６６】
図４は、送信時処理で合成される画像の第１例（Ａ）と第２例（Ｂ）とを示す図である。図４（Ａ）及び図４（Ｂ）は、受信機で受信された１ページの画像が用紙６０に印刷された例を示している。
【００６７】
送信機から送信される画像には、スキャナ部１４により読み取られた画像が配置される主領域６１と、主領域６１の外（例えば上方）に配置されるＴＴＩ領域６２とが含まれる。ＴＴＩ領域６２には、送信者名称、電話番号又は送信時間などの送信情報６２ａ、６２ｂが画像として合成される。図４（Ａ）に示すように、図３のステップＳ１０、Ｓ１１、Ｓ１２で合成されるメッセージ（メッセージ１からメッセージ３のいずれか）６２ｓは、例えばＴＴＩ領域６２の空きスペースに合成される。
【００６８】
ＴＴＩ領域６２にメッセージ６２ｓを追記することで、そのままでは、メッセージ６２ｓと送信情報６２ａ、６２ｂ、６２ｃの一部とが重なるような場合がある。このような場合には、図４（Ｂ）に示すように、通知処理部３５は、送信情報６２ａ、６２ｂ、６２ｃ及びメッセージ６２ｓのフォントサイズを小さくして、これらが重ならないよう、画像合成を制御してもよい。送信情報６２ａ、６２ｂ、６２ｃの画像は、本発明に係る「別の情報画像」の一例に相当する。
【００６９】
＜送信時処理の作用＞
続いて、上述した送信時処理において送信画像に合成されるメッセージ１からメッセージ３の作用について説明する。以下では、先ず、従来のファクシミリ装置間の画像の伝送で画像欠損が生じた場合の対処例を説明し、次に、本実施形態のファクシミリ装置１から従来のファクシミリ装置へ画像を送信する場合に画像欠損が生じた場合の対処例を説明する。
【００７０】
＜従来の対処例１＞
受信機のＥＣＭがオフに設定され、送信機のＥＣＭがオンに設定されている場合、従来構成においても、ＤＩＳとＤＣＳとの交換により、ＥＣＭが無効とされて通信が行われる。ここで、例えば送信側の通信回線の品質が低いと、ＥＣＭが無効であることで、受信機で受信された画像に欠損（エラーライン等）が多く発生する。
【００７１】
この場合、受信機のユーザーは、受信及び印刷された文書の画像欠損から、ファクシミリ装置の異常と判断し、保守員へ連絡する。しかし、保守員は、画像欠損だけで、詳細な原因を特定することは困難であり、適切な対処法を提案することができない。
【００７２】
例えば、保守員は、ＥＣＭの設定が原因と予想しつつ、「受信機の設定をオンに切り替えても、通信相手の設定がオフにされていれば、異常を解消できない」といった懸念を持つ。以前に、他の特定の通信相手Ａへの画像送信時に正常な送信ができなかったことに起因して、保守員が、受信機のＥＣＭの設定をオフにしているような場合、設定をオンに切り替えることで通信相手Ａへの送信異常が再発してしまう。保守員は、通信相手の短縮ダイヤル機能を用いて、今回の通信相手のＥＣＭの設定をオフとし、装置全体のＥＣＭ設定をオンにすることも検討できるが、その他の通信相手についても設定が切り替わることで異常が発生しないか懸念する。設定変更により、異常が解消されずに、他の異常を誘発してしまうことは好ましくなく、一方、原因が特定できていない状況で、通信相手に問い合わせを行うことは、ユーザーの理解が得られにくい。このため、保守員は適切な対処法を提案しにくい。
【００７３】
＜実施形態の対処例１＞
受信機（従来のファクシミリ装置）のＥＣＭがオフに設定され、送信機（実施形態のファクシミリ装置１）のＥＣＭがオンに設定されている場合、従来構成と同様にＥＣＭが無効とされる。そして、通信回線の品質が低いと、受信機で受信された画像に欠損が発生する。
【００７４】
この場合、受信機のユーザーは、受信及び印刷された文書の画像欠損から、何らかの異常と判断する。ここで、文書のＴＴＩ領域には、送信機の画像の合成処理（図３のステップＳ１１）により、メッセージ２「この通信は、受信機側設定により、ＥＣＭ機能がＯＦＦに設定されて通信しました。受信不良の場合は受信機の設定を変更してださい」が示されている。受信機のユーザーは、このメッセージ２を伝えて保守員と相談することで、保守員は、以前の受信機の設定が画像欠損の原因であることを特定できる。そして、保守員は、例えば、「短縮ダイヤル機能で回避する方法があります。何か問題が発生したら、ここの設定の変更を試してください」などと、適切な対処法を提案することができる。
【００７５】
＜従来の対処例２＞
受信機のＥＣＭがオンに設定され、送信機のＥＣＭがオフに設定されている場合、従来構成においても、ＤＩＳとＤＣＳとの交換により、ＥＣＭが無効とされて通信が行われる。ここで、受信側の通信回線の品質が低いと、ＥＣＭが無効であることで、受信機で受信された画像に欠損が発生する。
【００７６】
この場合、受信機のユーザーは、受信及び印刷された文書の画像欠損から、ファクシミリ装置の異常と判断し、保守員へ連絡する。しかし、保守員は、画像欠損だけで、詳細な原因を特定することは困難であり、適切な対処法を提案できない。例えば、保守員は、受信機のＥＣＭの設定はオンなので、ＥＣＭ以外に原因があるのか疑問を持つ。原因が不確かな状況で、通信相手に設定変更を依頼することは、受信側及び送信側のユーザーの理解が得られにくく、保守員は適切な対処法を提案しにくい。
【００７７】
＜実施形態の対処例２＞
受信機（従来のファクシミリ装置）のＥＣＭがオンに設定され、送信機（実施形態のファクシミリ装置１）のＥＣＭがオフに設定されている場合を想定する。この場合、先ず、画像の送信前、送信機の表示部１６に、ＥＣＭの設定変更を促す設定確認画面が表示される（図３のステップＳ６を参照）。これにより、先ず、送信機のユーザーは、ＥＣＭの設定をオンにして画像欠損が生じないよう適切に対処する機会を得る。
【００７８】
一方、設定確認画面でＥＣＭの設定変更されなかった場合には、従来構成と同様に能力情報が交換されてＥＣＭが無効とされる。そして、通信回線の品質が低いと、受信機で受信された画像に欠損が発生する。
【００７９】
この場合、受信機のユーザーは、受信及び印刷された文書の画像欠損から、何らかの異常と判断する。ここで、文書のＴＴＩ領域には、送信機の画像の合成処理（図３のステップＳ１０）によって、メッセージ１「この通信は、送信機側設定により、ＥＣＭ機能がＯＦＦに設定されて通信しました。受信不良の場合は送信機側に設定変更を依頼してださい」が示されている。受信機のユーザー又は保守者は、送信相手にこのメッセージ１を連絡し、画像の再送と、ＥＣＭの設定変更を依頼するなど、適切に対処できる。
【００８０】
＜従来の対処例３＞
受信機のＥＣＭがオフに設定され、送信機のＥＣＭがオフに設定されている場合、従来構成においても、ＤＩＳとＤＣＳとの交換により、ＥＣＭが無効とされて通信が行われる。ここで、通信回線の品質が低下すると、ＥＣＭが無効であることで、受信機で受信された画像に欠損が発生する。
【００８１】
この場合、受信機のユーザーは、受信及び印刷された文書の画像欠損から、ファクシミリ装置の異常と判断し、保守員へ連絡する。しかし、保守員は、画像欠損だけで、詳細な原因を特定することは困難であり、適切な対処法を提案することができない。例えば、保守員は、受信機のＥＣＭの設定をオンにしても、再度の通信でＥＣＭが無効のままとなり、画像欠損が解消しない可能性を懸念する。さらに、受信機のＥＣＭの設定をオンにしたことで、他の通信相手との通信で異常が生じる可能性がある。原因が特定されない状況で、通信相手に問い合わせを行うことはユーザーの理解が得られにくく、保守員は適切な対処法を提案しにくい。
【００８２】
＜実施形態の対象例３＞
受信機（従来のファクシミリ装置）のＥＣＭがオフに設定され、送信機（実施形態のファクシミリ装置１）のＥＣＭがオフに設定されている場合、従来構成と同様にＥＣＭが無効とされ、通信回線の品質が低いと、受信機で受信された画像に欠損が発生する。
【００８３】
この場合、受信機のユーザーは、受信及び印刷された文書の画像欠損から、何らかの異常と判断する。ここで、文書のＴＴＩ領域には、送信機の画像の合成処理（図３のステップＳ１２）によって、メッセージ３「この通信は、送信・受信双方の設定により、ＥＣＭ機能がＯＦＦに設定されて通信しました。受信不良の場合は、双方の設定を変更してください」が示されている。
【００８４】
これにより、受信機のユーザー又は保守者は、以前の受信機の設定と、通信相手側の設定とが、画像欠損の主な原因であることを特定できる。そして、保守員は、例えば、「短縮ダイヤル機能で回避する方法があります。何か問題が発生したら、ここの設定の変更を試してください」などと、受信機のユーザーに適切な対処法を提案できる。さらに、保守員は、受信機のユーザーに、送信相手に連絡して送信機の設定を変更してもらうよう適切な対処法を提案できる。
【００８５】
＜受信時処理＞
図５は、受信時に図２の機能モジュールが実行する受信時処理の手順を示すフローチャートである。図７は、図５のステップＳ２６の確認画面処理及び操作入力処理の詳細な手順を示すフローチャートである。図８は、表示部に出力される確認画面の一例を示す図である。
【００８６】
受信時処理は、画像を受信するためにファクシミリ装置１と送信機との通信接続が確立されたときに開始される。受信時処理が開始されると、プロトコル制御部３２は、送信機と能力情報（ＤＩＳ、ＤＣＳ）を交換し（ステップＳ２１）、送信機からページデータを受信する（ステップＳ２２）。ページデータとは、送信機から複数ページの文書の画像を送信する場合に、各ページの画像データを意味する。
【００８７】
ページデータが受信されると、通知処理部３５は、送信機がＥＣＭ設定情報（ＥＣＭのＥＣＭ設定情報）の通知機能を有するか否か判別する（ステップＳ２３）。例えば、送信機から受信機に送られる端末識別情報（ＴＳＩ:Transmitting Subscriber Identification）に、通知機能の有無を示す情報を挿入しておき、受信機の通知処理部３５が、この情報に基づきステップＳ２３の判別を行えばよい。判別の結果がＮＯであれば、通知処理部３５は次のステップＳ２４へ処理を進め、ＹＥＳであればステップＳ３３へ処理を進める。
【００８８】
次に進むと、通知処理部３５は、通信のＥＣＭが無効でありかつ受信した画像にエラーラインが有るか否かを判別する（ステップＳ２４）。エラーラインの有無の判別は、プロトコル制御部３２が画像データの伸長処理でエラーの発生を判別することで実現される。ステップＳ２４の判別の結果、ＹＥＳであれば、通知処理部３５は次のステップＳ２５へ処理を進めるが、ＮＯであればステップＳ３３へ処理を進める。
【００８９】
次に進むと、通知処理部３５は、設定情報記憶部１３ａの情報から、確認画面の表示設定がオンかオフかを判別する（ステップＳ２５）。この設定内容は、予めユーザー等により選択されて、設定情報記憶部１３ａに格納されている。通知処理部３５は、ステップＳ２５の判別の結果、オンであれば確認画面表示及び操作入力処理（ステップＳ２６）を実行し、ＮＯであれば、そのままステップＳ２８へ処理を進める。
【００９０】
確認画面表示及び操作入力処理では、図７に示すように、先ず、通知処理部３５は、プロトコル制御部３２が保持する端末識別情報（ＴＳＩ）から送信者情報を取得する（ステップＳ４１）。次に、通知処理部３５は、履歴情報記憶部２４ａに、ステップＳ４１で取得した送信者情報に対応した確認画面の選択結果が登録されているか判別する（ステップＳ４２）。その結果、登録されていれば、通知処理部３５は、履歴情報記憶部２４ａの選択結果を採用し（ステップＳ４３）、確認画面表示及び操作入力処理を終える。
【００９１】
一方、ステップＳ４２の結果が未登録であれば、通知処理部３５は、表示部１６に確認画面５１（図８を参照）を出力する（ステップＳ４４）。確認画面５１は、本発明に係る選択画面の一例に相当する。確認画面５１には、受信機又は送信機のＥＣＭの設定がオフであることを示すＥＣＭ設定情報５２と、ＥＣＭ設定情報等のメッセージを画像に合成するか否かを選択させる表示５３と、画質確認のための受信画像のプレビュー表示５４とが含まれる。メッセージを合成すると、その分、文書の原稿長が長くなり、原稿長を印刷用紙に合わせるために縮小印刷が行われる場合があり、このような縮小印刷を望まない場合には、ユーザーは、確認画面でメッセージの合成をオフするよう選択できる。
【００９２】
確認画面５１を出力したら、通知処理部３５は、操作部１７からユーザーの操作入力がなされたか判別し（ステップＳ４５）、操作入力が有れば、次に処理を進める。次に進むと、通知処理部３５は、選択結果を記憶し（ステップＳ４６）、さらに、履歴情報記憶部２４ａに送信者情報と操作結果とを対応づけて登録し（ステップＳ４７）、図５のステップＳ２７へ処理を進める。ステップＳ４７の登録により、次に、同じ通信相手から画像を受信する際に、図７の処理へ移行すると、前回の選択結果が自動的に採用されて、確認画面５１の出力を省略することができる。
【００９３】
なお、確認画面表示及び操作入力処理により、確認画面５１が表示部１６から出力されても、受信機のユーザーが確認画面５１に気付きにくい状況が想定される。このような状況に対応するため、ステップＳ４４で確認画面５１を出力する場合、通知処理部３５は、音出力、電子メールの送信又はランプの駆動等、報知動作を実行することで、ユーザーに確認画面５１の出力を報知してもよい。
【００９４】
確認画面表示及び操作入力処理が終了すると、通知処理部３５は、メッセージの合成有りが選択されたか否かを判別し（ステップＳ２７）、ＹＥＳであれば、ステップＳ２８へ処理を進め、ＮＯであればそのままステップＳ３３へ処理を進める。
【００９５】
ステップＳ２８に処理が進むと、通知処理部３５は、設定情報記憶部１３ａの情報から、受信情報（ＲＴＩ）の印字設定がオンかオフかを判別する（ステップＳ２８）。その結果、オンであれば、さらに、通知処理部３５は、受信情報（ＲＴＩ）の印字設定が内付けか外付けかを判別する（ステップＳ３０）。これらの印字設定の内容は、予めユーザー等により選択されて、設定情報記憶部１３ａに格納されている。受信情報（ＲＴＩ）は、例えば受信時刻、受信機が認識した発信元名称などである。受信情報が印字されると、受信した画像に受信情報が重なったり、あるいは、印刷する１ページの画像の原稿長が延びて縮小印刷されたりする場合があることから、ユーザーにより印字のオンとオフとが選択可能に構成されている。内付けとは、受信した画像を縮小印刷せずにこの画像の枠内と重なるＲＴＩ領域（フッター領域）へ印字を行う方式を意味する。外付けとは、受信した画像を縮小印刷してこの画像の枠外のＲＴＩ領域（フッター領域）へ印字を行う方式を意味する。
【００９６】
これらの判別処理の結果、受信情報の印字設定がオフであれば、通知処理部３５は、ＴＴＩ領域に外付けでＥＣＭ設定情報を通知するメッセージ画像を合成するよう、画像処理部３３に要求する（ステップＳ２９）。
【００９７】
一方、受信情報の印字設定が内付けでオンであれば、通知処理部３５は、ＲＴＩ領域に受信情報と、ＥＣＭ設定情報を通知するメッセージとを小フォントを用いて画像合成するよう、画像処理部３３に要求する（ステップＳ３２）。
【００９８】
また、受信情報の印字設定が外付けでオンであれば、通知処理部３５は、ＲＴＩ領域にＥＣＭ設定情報を通知するメッセージ画像を外付けで合成するよう、画像処理部３３に要求する（ステップＳ３１）。
【００９９】
ステップＳ２９、Ｓ３１、Ｓ３２で、画像合成が実行されたら、ステップＳ３３に処理が進む。そして、ジョブ制御部３１が、プリンタ部１５に画像データを転送することで、画像が印刷され（ステップＳ３３）、受信時処理が終了する。
【０１００】
図６は、受信時処理の変形例を示すフローチャートである。図６の受信時処理は、ステップＳ２９Ａ、Ｓ３２Ａのメッセージの合成処理が異なり、その他は、図５の受信時処理と同様である。
【０１０１】
図６のステップＳ２９Ａに示すように、図５のステップＳ２９のＴＴＩ領域へのメッセージ画像の合成は、ＲＴＩ領域へ外付けでＥＣＭ設定情報を通知するメッセージ画像を合成する処理へ変更してもよい。
【０１０２】
図６のステップＳ３２Ａに示すように、図５のステップＳ３２の小フォントを用いた合成処理は、受信情報は内付けでＲＴＩ領域へ合成する一方、ＥＣＭ設定情報を通知するメッセージ画像は、外付けでＲＴＩ領域へ合成する処理へ変更してもよい。
【０１０３】
また、ステップＳ２９、Ｓ３１、Ｓ３２、Ｓ２９Ａ、Ｓ３２Ａで合成されるメッセージには、ＥＣＭ設定情報に加えて、受信機又は送信機のＥＣＭの設定を変更するよう促すなどの対処法の情報が含まれていてもよい。
【０１０４】
図９（Ａ）、図９（Ｂ）、図１０（Ａ）及び図１０（Ｂ）は、受信時処理で合成される画像の第１例から第４例をそれぞれ示す。これらの画像は、合成された画像が用紙６０に印刷された例を示す。受信した画像６５には、送信機でスキャンされた画像及び送信機が合成した送信情報６２ａ、６２ｂの画像が含まれる。
【０１０５】
ステップＳ２８の判別結果がＮＯ（受信情報の印字設定がオフ）である場合には、受信機のユーザーが、受信した画像の枠内に、他の情報が重ねて出力されることを望んでいないことが想定される。したがって、この条件では、図９（Ａ）と図９（Ｂ）に示すように、ＥＣＭ設定情報を通知するメッセージ７１ｓの画像が、外付けでＲＴＩ領域７１或いはＴＴＩ領域７２に合成される（ステップＳ２９、Ｓ２９Ａ）。この場合、受信した画像６５が縮小されたり、あるいは、合成画像の一部が次ページに送られて印字されたりしても、メッセージ７１ｓの画像が受信した画像６５に重なることが回避される。
【０１０６】
ステップＳ２８、Ｓ２９の判別結果が共にＹＥＳ（受信情報の印字設定が内付け）である場合、受信する画像の多くにおいてＲＴＩ領域が余白であることが想定される。一方、受信情報を印字する場合には、受信情報とＥＣＭ設定情報のメッセージの画像とが重なってしまうことが想定される。したがって、この条件では、図１０（Ａ）に示すように、ＥＣＭ設定情報を通知するメッセージ７１ｓの画像と受信情報７１ａ、７１ｂ、７１ｃとが小さいフォントで合成される（ステップＳ２９）。これにより、受信した画像の縮小印刷、並びに、受信情報７１ｃとメッセージ７１ｓとが重なってしまうことが回避される。また、変形例では、この条件の場合、図１０（Ｂ）に示すように、受信情報７１ａ、７１ｂ、７１ｃが内付けのＲＴＩ領域７１へ合成され、メッセージ７１ｓの画像が外付けでＲＴＩ領域７３へ合成される（ステップＳ２９Ａ）。これにより、受信情報７１ｃとメッセージ７１ｓとが重なってしまうことが回避される。
【０１０７】
なお、ファクシミリ装置１が、画像を受信する際にＥＣＭ設定情報を外部に通知する場合、画像合成もしくは表示部１６への出力に加え、あるいは、これらの態様に替えて、ジョブの履歴情報にＥＣＭ設定情報を加える態様が採用されてもよい。すなわち、通知処理部３５が、記憶装置の１３のジョブ履歴記憶部１３ｂに、ファックス受信のジョブ情報と関連付けて、ＥＣＭ設定情報を記憶する。これにより、受信機のユーザーが受信した画像に欠陥を見つけた場合に、例えば表示部１６にジョブ履歴を表示させて、ＥＣＭ設定情報を読み出すことができる。
【０１０８】
＜受信時処理の作用＞
上述の受信時処理によれば、通信相手の送信機が従来構成であり、ＥＣＭが無効の通信が行われて画像欠損が生じた場合、確認画面５１に受信機又は送信機のＥＣＭの設定がオフであることを示すＥＣＭ設定情報の通知が行われる。また、確認画面５１でユーザーがメッセージの合成有りを選択することで、印刷された画像に、ＥＣＭ設定情報を通知するメッセージの画像が合成される。したがって、受信機のユーザー又は保守者は、通知されたメッセージを頼りに、画像欠損の原因を推測し、受信機のＥＣＭの設定を変更したり、通信相手に再送とＥＣＭの設定変更を依頼したりするなど、迷うことなく適切な処置をとることができる。
【０１０９】
また、通信相手の送信機が、本実施形態のＥＣＭ設定情報の通知機能を備えたファクシミリ装置である場合には、送信機から受信した画像に通知のメッセージの画像が合成されている。このとき、受信時処理では、確認画面５１の出力とメッセージの画像の合成が省略される。したがって、受信機のユーザーは、送信機から送られたメッセージを頼りに、画像欠損の原因を推測し、受信機のＥＣＭの設定を変更したり、通信相手に再送とＥＣＭの設定変更を依頼したりするなど、適切な処理をとることができる。
【０１１０】
＜実施形態の効果＞
以上のように、本実施形態のファクシミリ装置１によれば、プロトコル制御部３２がＥＣＭを無効とした場合に、通知処理部３５が相手装置、自装置又はこれら両方のＥＣＭの設定がオフであることを示すＥＣＭ設定情報を、装置外へ通知する。したがって、ＥＣＭが無効であることに起因して、伝送された画像に欠損が生じた場合、送信機のユーザー、受信機のユーザー、又は保守者等は、ＥＣＭ設定情報を頼りに、画像欠損の原因を推測し、画像欠損を解消するために容易に適切な処置をとることができる。
【０１１１】
さらに、本実施形態のファクシミリ装置１によれば、通知処理部３５は、送信又は受信される画像に、ＥＣＭ設定情報を含んだメッセージ６２ｓ、７１ｓの画像を合成することで、これらの情報を外部に通知する。これにより、画像を受信したユーザーがＥＣＭ設定情報に気付きやすいという効果が得られる。
【０１１２】
さらに、本実施形態のファクシミリ装置１によれば、通知処理部３５は、画像の送信時にＥＣＭ設定情報を含んだ設定確認画面を表示部１６から出力する（図６のステップＳ６）ことで、ＥＣＭ設定情報を外部に通知する。これにより、送信機のユーザーにも、ＥＣＭ設定情報を通知することができ、送信機のユーザーは、画像欠損が生じないよう、適切な処置をとることができる。また、通知処理部３５は、画像の受信時にＥＣＭ設定情報を含んだ設定確認画面を表示部１６から出力する（図５のステップＳ２６）ことで、これらの情報を外部に通知する。これにより、印刷される画像を用いなくても、受信機のユーザーに、ＥＣＭ設定情報を通知することができる。また、ユーザーが、受信機でＥＣＭ設定情報の画像が合成されることを望まない場合には、この合成を回避しつつユーザーにＥＣＭ設定情報を通知することが可能となる。
【０１１３】
さらに、本実施形態のファクシミリ装置１によれば、画像を受信し、受信した画像に、ＥＣＭ設定情報を含んだメッセージ７１ｓの画像を合成する場合、通知処理部３５は、外付け或いは内付けで画像を合成する。したがって、外付けで合成することで、受信した画像に重ねずにメッセージ７１ｓの画像を合成することができる。また、内付けで合成することで、受信した画像を縮小印刷せずにメッセージ７１ｓの画像を合成することができる。
【０１１４】
加えて、本実施形態のファクシミリ装置１によれば、画像を送信する際、通知処理部３５は、ＥＣＭ設定情報を含んだメッセージ６２ｓを、送信情報６２ａ、６２ｂ、６２ｃと同じ領域に合成する場合に、小さなフォントを用いて合成する（図４（Ｂ）を参照）。また、画像を受信する際、通知処理部３５は、ＥＣＭ設定情報を含んだメッセージ７１ｓを、受信情報７１ａ、７１ｂ、７１ｃと同じ領域に合成する場合に、小さなフォントを用いて合成する（図５のステップＳ３２、図１０（Ｂ）を参照）。これにより、送信情報又は受信情報を合成する領域を拡大することなく、これらの情報とメッセージ６２ｓ、７１ｓとを画像に含めることができる。
【０１１５】
さらに、本実施形態のファクシミリ装置１によれば、画像を受信する際、通知処理部３５は、ＥＣＭ設定情報の画像への合成を行うか否かを選択可能な確認画面５１を出力する（図５のステップＳ２６、図７のステップＳ４４）。そして、通知処理部３５は、確認画面５１の選択結果に応じて合成を行うか否かを決定する。したがって、受信機のユーザーが、画像をそのまま印刷したい場合に、ファクシミリ装置１はこの要求に応じることができる。なお、ＥＣＭ設定情報の画像への合成を行うか否かを選択させる画面の出力制御は、画像を送信する際に、送信機の通知処理部３５が行うようにしてもよい。これにより、送信機のユーザーが、画像を等倍で送りたい場合、又は、通信情報を付加せずに送りたい場合に、ファクシミリ装置１は、この要求に応じることができる。
【０１１６】
さらに、本実施形態のファクシミリ装置１によれば、通知処理部３５は、同一の送信相手との過去の通信において、以前に確認画面５１の選択が行われている場合、確認画面５１の出力を省略し、以前の選択結果を採用する（図７のステップＳ４２、Ｓ４３）。これにより、同じ送信者からの何度も受信が行われる場合に、同じ選択の入力処理を省いて、ユーザーの煩雑さを解消できる。
【０１１７】
さらに、本実施形態のファクシミリ装置１によれば、画像を受信する際、通知処理部３５は、画像にエラーラインがない場合（すなわち画像のデータに誤りがない場合）に、ＥＣＭ設定情報の通知処理を行わない。これにより、画像欠損が生じてＥＣＭ設定情報が有用な情報となるときのみ、受信機においてＥＣＭ設定情報が通知されるようにできる。
【０１１８】
さらに、本実施形態のファクシミリ装置１によれば、画像を受信する際、通知処理部３５は、送信機がＥＣＭ設定情報の通知機能を有している場合に、ＥＣＭ設定情報の通知処理を行わない。送信機が通知機能を有していれば、ＥＣＭが無効とされた場合に、受信画像にＥＣＭ設定情報が合成され、受信機のユーザーにこの情報が通知される。したがって、上記の構成により、ＥＣＭ設定情報の通知が、送信機と受信機とで二重に行われることを回避できる。
【０１１９】
上述の構成及び作用は、送信機と受信機とが能力情報（ＤＩＳ、ＤＣＳ）を交換してＥＣＭを有効とするか無効とするかを決定するという通信規約を有する通信装置に適用して特に有用である。同様に、上述の構成及び作用は、ＥＣＭが、誤りが検出された場合に再送により誤りを訂正する機能である場合に、具体的には、ファクシミリ装置の画像の送信及び受信の際に適用して特に有用である。
【０１２０】
以上、本発明の実施形態について説明した。しかし、本発明は上記の実施形態に限られない。例えば、上記実施形態では、本発明に係る通信装置としてファクシミリ装置を適用した構成について説明した。しかし、本発明は、相手装置又は自装置の誤り訂正機能の設定がオフである場合に誤り訂正機能を無効にする能力調整部を有する通信装置であれば、上記実施形態と同様に適用し、同様の作用が得られる。その場合、伝送されるデータは、画像データに制限されない。また、通信装置が、画像データを伝送する場合でも、受信機が、受信した画像を自動的に印刷する機能を有さず、例えば、受信機は、受信した画像を表示部に出力可能な装置であってもよい。また、上記実施形態では、本発明に係る通信装置としてファクシミリ装置を示したが、本発明に係る通信装置は、ファクシミリ通信機能を有する複合機、プリンタ機又は複写機などであってもよい。その他、画像へ合成される通知情報の具体的な内容、表示部に出力される通知情報の具体的な内容など、実施の形態で示した細部は、発明の趣旨を逸脱しない範囲で適宜変更可能である。
【０１２１】
また、上記実施形態では、本発明に係るプログラムを記憶するコンピューター読み取り可能な媒体としてＲＯＭ２３を使用した例を説明したが、これに限定されない。その他のコンピューター読み取り可能な媒体として、ＨＤＤ（Hard Disk Drive）、ＣＤ−ＲＯＭ、ＤＶＤディスクなどの可搬型記録媒体を適用することが可能である。また、本発明に係るプログラムのデータを、通信回線を介して提供する媒体として、キャリアウェーブ（搬送波）も適用される。
【符号の説明】
【０１２２】
１  ファクシミリ装置（通信装置）
１１  ネットワークI／Ｆ部
１２  入出力バッファー
１３  記憶装置
１３ａ  設定情報記憶部
１３ｂ  ジョブ履歴記憶部
１４  スキャナ部
１５  プリンタ部
１６  表示部
１７  操作部
２１  ＣＰＵ
２２  ＲＡＭ
２３  ＲＯＭ
２３ａ  プログラム
２４  不揮発性メモリー
２４ａ  履歴情報記憶部
３１  ジョブ制御部
３２  プロトコル制御部（能力調整部）
３３  画像処理部
３４  表示処理部
３５  通知処理部
５１  確認画面（選択画面）
５２  設定情報
６２、７２  ＴＴＩ領域
６２ａ、６２ｂ、６２ｃ  送信情報
６２ｓ  メッセージ（設定情報）
７１、７３  ＲＴＩ領域
７１ａ、７１ｂ、７１ｃ  受信情報
７１ｓ  メッセージ（設定情報）
【図１】
2019208149.tif 000003
【図２】
2019208149.tif 000004
【図３】
2019208149.tif 000005
【図４】
2019208149.tif 000006
【図５】
2019208149.tif 000007
【図６】
2019208149.tif 000008
【図７】
2019208149.tif 000009
【図８】
2019208149.tif 000010
【図９】
2019208149.tif 000011
【図１０】
2019208149.tif 000012